(57)【要約】【課題】複数の地点に設置された太陽光発電の発電電力の情報から雲等を測定し、発電電力を予測する太陽光発電システムを提供する。【解決手段】太陽光２を受光して発電すると共に、外形が矩形になるように設置された４つ以上の太陽光パネル３の発電電力を測定する。そして、測定発電電力と太陽光パネル３の基準発電電力、および太陽光パネル３の設置位置のデータに基づいて雲９に関する情報を推計し、推計した雲９に関する情報と太陽光パネル３の設置位置のデータに基づいて、所定の未来の時点での雲９に関する情報を予測する。予測した雲９に関する情報と上記基準発電電力、および太陽光パネル３の設置位置のデータに基づいて上記未来の時点で太陽光パネル３の発電電力を予測する。【選択図】図１
2010186840.tif 000002
【特許請求の範囲】
【請求項１】
太陽光を受光して発電すると共に、外形が矩形になるように設置された４つ以上の太陽光パネルと、
上記太陽光パネルの発電電力を測定する発電電力測定装置と、
上記発電電力測定装置の測定発電電力のデータを管理システムに送信する通信システムと、
上記太陽光パネルの基準発電電力と上記太陽光パネルの設置位置のデータが保存されているデータベースと、
上記発電電力測定装置の測定発電電力と上記基準発電電力、および上記太陽光パネルの設置位置のデータに基づいて雲に関する情報を推計する雲推計処理部と、
上記雲推計処理部で推計した雲に関する情報と上記太陽光パネルの設置位置のデータに基づいて、所定の未来の時点での雲に関する情報を予測する雲予測処理部と、
上記雲予測処理部で予測した雲に関する情報と上記基準発電電力、および上記太陽光パネルの設置位置のデータに基づいて上記未来の時点で上記太陽光パネルの発電電力を予測する電力予測処理部と、
を備えたことを特徴とする太陽光発電システム。
【請求項２】
上記基準発電電力は、上記太陽光パネルが設定された地点において、晴天で雲のない日の上記太陽光パネルの発電電力であることを特徴とする請求項１に記載の太陽光発電システム。
【請求項３】
上記雲に関する情報は、雲の位置、量、移動方向、および移動速度の情報の何れか一つを含むことを特徴とする請求項１または請求項２に記載の太陽光発電システム。
【請求項４】
太陽光を受光して発電すると共に、外形が矩形になるように設置された４つ以上の太陽光パネルにより構成される第１太陽光パネル群と、
上記第１太陽光パネル群と同様に構成され、上記第１太陽光パネル群と異なる地点に設置される第２太陽光パネル群と、
上記第１および第２太陽光パネル群を構成するそれぞれの太陽光パネルの発電電力を測定する発電電力測定装置と、
上記発電電力測定装置の測定発電電力のデータを管理システムに送信する通信システムと、
上記それぞれの太陽光パネルの基準発電電力と上記それぞれの太陽光パネルの設置位置のデータが保存されているデータベースと、
上記発電電力測定装置の測定発電電力と上記基準発電電力、および上記それぞれの太陽光パネルの設置位置のデータに基づいて雲に関する情報を推計する雲推計処理部と、
上記第１および第２太陽光パネル群を構成する太陽光パネルに基づいて推計された雲に関する情報と上記第１および第２太陽光パネル群を構成する太陽光パネルの設置位置のデータに基づいて、所定の未来の時点での雲に関する情報を予測する雲予測処理部と、
上記雲予測処理部で予測した雲に関する情報と上記基準発電電力、および上記太陽光パネルの設置位置のデータに基づいて上記未来の時点で上記太陽光パネルの発電電力を予測する電力予測処理部と、
を備えたことを特徴とする太陽光発電システム。
【発明の詳細な説明】
【技術分野】
【０００１】
この発明は、複数の地点に設置された太陽光発電の発電電力に基づいて未来の雲の状況を予測し、それに基づいて太陽光発電の発電電力を予測する太陽光発電システムに関するものである。
【背景技術】
【０００２】
太陽光発電は天候によって発電電力が変動するため、そのまま電力系統に連系すると電力系統の運用と需給計画に影響を与えるという問題がある。太陽光発電の発電電力が変動する主な原因は雲である。そこで、太陽光パネルが設置されている地点の全天を３６０度全方位カメラにより画像として撮像することにより雲の分布と雲の動きを検出し、その雲の分布と雲の動きに基づいて未来の時点での太陽光パネルの発電電力を予測しようとする提案がある（例えば、特許文献１参照）。
【先行技術文献】
【特許文献】
【０００３】
【特許文献１】特開２００７−１８４３５４号公報（要約の欄、図１）
【発明の概要】
【発明が解決しようとする課題】
【０００４】
しかし、上記特許文献１に提案されているように、３６０度全方位カメラを利用して発電電力を予測しようとする手法、あるいは衛星写真などを利用する手法は、カメラあるいは衛星写真などで得られない太陽光発電の発電電力へ影響を与える他要因である、例えば、気温、太陽光パネルの効率などを考慮できないため、正確に発電電力を予測できないという問題がある。また、設備等のコストが高いという問題もある。
【０００５】
そこで、この発明の目的とするところは、カメラあるいは衛星写真などを利用することなく、太陽光発電の発電電力を予測する太陽光発電システムを提供することである。
【課題を解決するための手段】
【０００６】
この発明に係る太陽光発電システムは、太陽光を受光して発電すると共に、外形が矩形になるように設置された４つ以上の太陽光パネルと、上記太陽光パネルの発電電力を測定する発電電力測定装置と、上記発電電力測定装置の測定発電電力のデータを管理システムに送信する通信システムと、上記太陽光パネルの基準発電電力と上記太陽光パネルの設置位置のデータが保存されているデータベースと、上記発電電力測定装置の測定発電電力と上記基準発電電力、および上記太陽光パネルの設置位置のデータに基づいて雲に関する情報を推計する雲推計処理部と、上記雲推計処理部で推計した雲に関する情報と上記太陽光パネルの設置位置のデータに基づいて、所定の未来の時点での雲に関する情報を予測する雲予測処理部と、上記雲予測処理部で予測した雲に関する情報と上記基準発電電力、および上記太陽光パネルの設置位置のデータに基づいて上記未来の時点で上記太陽光パネルの発電電力を予測する電力予測処理部とを備えたものである。
【発明の効果】
【０００７】
この発明に係る太陽光発電システムは、太陽光を受光して発電すると共に、外形が矩形になるように設置された４つ以上の太陽光パネルと、上記太陽光パネルの発電電力を測定する発電電力測定装置と、上記発電電力測定装置の測定発電電力のデータを管理システムに送信する通信システムと、上記太陽光パネルの基準発電電力と上記太陽光パネルの設置位置のデータが保存されているデータベースと、上記発電電力測定装置の測定発電電力と上記基準発電電力、および上記太陽光パネルの設置位置のデータに基づいて雲に関する情報を推計する雲推計処理部と、上記雲推計処理部で推計した雲に関する情報と上記太陽光パネルの設置位置のデータに基づいて、所定の未来の時点での雲に関する情報を予測する雲予測処理部と、上記雲予測処理部で予測した雲に関する情報と上記基準発電電力、および上記太陽光パネルの設置位置のデータに基づいて上記未来の時点で上記太陽光パネルの発電電力を予測する電力予測処理部とを備えたもので、カメラあるいは衛生写真などを利用しないため、より経済的に太陽光発電の発電電力を予測することができる。
【図面の簡単な説明】
【０００８】
【図１】この発明の実施の形態１に係る太陽光発電システムの構成図である。
【図２】実施の形態１に係る太陽光パネルの設置位置を基準とした雲の影の移動を示す図である。
【図３】実施の形態１に係る雲推計処理部で実行される処理を示すフローチャートである。
【図４】実施の形態１に係る雲の位置と雲の量を示す行列である。
【図５】実施の形態１に係る推計した雲に関する情報を示す行列である。
【図６】実施の形態１に係る雲予測処理部で実行される処理を示すフローチャートである。
【図７】実施の形態１に係る予測した雲の位置と雲の量を示す行列である。
【図８】実施の形態１に係る電力予測処理部で実行される処理を示すフローチャートである。
【図９】この発明の実施の形態２に係る太陽光発電システムの構成図である。
【図１０】実施の形態２に係る太陽光パネルの設置位置を基準とした雲の影の移動を示す図である。
【図１１】実施の形態２に係る第１太陽光発電システムの太陽光発電パネルが設置された地点の雲の位置と雲の量を示す行列である。
【図１２】実施の形態２に係る第１太陽光発電システムの太陽光発電パネルが設置された地点の推計した雲に関する情報を示す行列である。
【図１３】実施の形態２に係る第２太陽光発電システムの太陽光発電パネルが設置された地点の雲の位置と雲の量を示す行列である。
【図１４】実施の形態２に係る第２太陽光発電システムの太陽光発電パネルが設置された地点の推計した雲に関する情報を示す行列である。
【図１５】実施の形態２に係る雲予測処理部で実行される処理を示すフローチャートである。
【図１６】実施の形態２に係る第２太陽光発電システムの太陽光発電パネルが設置された地点の予測した雲の位置と雲の量を示す行列である。
【発明を実施するための形態】
【０００９】
以下、添付の図面を参照して、この発明に係る太陽光発電システムについて好適な実施の形態を説明する。なお、この実施の形態によりこの発明が限定されるものでない。
【００１０】
実施の形態１．
図１は、この発明の実施の形態１に係る太陽光発電システムの構成図である。図１において、太陽光発電システム１００は、太陽１から太陽光２を受光して発電する９つの太陽光パネル３からなる太陽光パネル群４、太陽光パネル３の発電電力を測定する発電電力測定装置５、全体的に処理を行う管理システム６、発電電力測定装置５の測定発電電力を管理システム６に送信する通信システム７、および太陽光パネル３の基準発電電力のデータと太陽光パネル３の設置位置のデータが保存されているデータベース８を備える。
【００１１】
また、太陽光発電システム１００は、発電電力測定装置５の測定発電電力と基準発電電力、および太陽光パネル３の設置位置のデータに基づいて雲９に関する情報を推計する雲推計処理部１０、雲推計処理部１０により推計した雲に関する情報と太陽光パネル３の設置位置のデータに基づいて雲９に関する情報を予測する雲予測処理部１１、および雲予測処理部１１の処理結果と太陽光パネル３の設置位置のデータに基づいて太陽光パネル３の未来の時点での発電電力を予測する発電電力予測処理部１２を備える。なお、図１において、符号１３は雲９の影を示している。
【００１２】
図１に示すように、実施の形態１に係る太陽光発電システム１００においては、太陽光パネル群４を９つの太陽光パネル３から構成しているが、実際は外形が矩形になるように設置された４つ以上であればよい。また、管理システム６、雲推計処理部１０、雲予測処理部１１、発電電力予測処理部１２、およびデータベース８は、ＣＰＵ、ＲＯＭ、ＲＡＭ、インターフェース回路を備えるコンピュータから構成される。
【００１３】
実施の形態１に係る太陽光発電システム１００は上記のように構成されており、次に、その動作について説明する。
太陽光発電システム１００は、過去の時刻Ｔ１と現在の時刻Ｔ２における測定発電電力と基準発電電力、および太陽光パネル３の設置位置のデータから各時刻における雲９に関する情報を雲推計処理部１０により推計し、推計した雲９に関する情報と太陽光パネル２の設置位置のデータに基づいて未来の時刻Ｔ３における雲９に関する情報を雲予測処理部１１により予測し、太陽光パネル３の発電電力を予測するもので、以下、具体的に説明する。
【００１４】
図１に示すように、時刻Ｔ１からＴ２の間に雲９が移動することにより、雲９の影１３も同様に移動する。図２は、太陽光パネル３の設置位置を基準とした雲９の影１３の移動を示す図で、雲９の影１３は矢印１４で示す方向に移動する。
【００１５】
図３は、雲推計処理部１０で実行される処理を示すフローチャートである。また、図４は、雲９の位置と雲９の量を示す行列、図５は、雲推計処理部１０で推計した雲９に関する情報を示す行列である。
【００１６】
次に、雲推計処理部１０で実行される雲推計処理ルーチンについて図３に基づき説明する。なお、図１、図４、および図５を参照して説明する。
【００１７】
まず、ステップＳ３０において、発電電力測定装置５と通信システム７を利用し、時刻Ｔ１とＴ２での太陽光パネル３の発電電力を読み込む。時刻Ｔ１とＴ２は、予め決められた時点ではなく、何れかの太陽光パネル３で雲が０パーセントまたは１００パーセントとなるなど、雲の位置を特定しやすい時点とする。
【００１８】
次に、ステップＳ３１において、データベース８から太陽光パネル３の基準発電電力と太陽光パネル３の設置位置のデータを読み込む。
【００１９】
時刻Ｔ１とＴ２での太陽光パネル３の測定発電電力と基準発電電力の比較によって雲９の位置と雲９の量を図４のように行列で表す。雲９の位置４０は太陽光パネル３の設置位置を基準として表す。太陽光パネル群３は正方形の形で９つの太陽光パネル３からなるため、雲９の位置４０は３次正方行列で表す。また、雲９の量４１は０から１００までのパーセントの数値で表す。数値が多いほど雲９の量４１が多いという意味を表し、数値が０の場合は雲９がない状態という意味である。
【００２０】
次に、ステップＳ３２において、時刻Ｔ１とＴ２での雲９の位置４０と雲９の量４１、および太陽光パネル３の設置位置のデータに基づいて時刻Ｔ２の雲９に関する情報を推計する。時刻Ｔ２において推計した雲９に関する情報は図５に示すように行列で表す。行列の左上の要素５０の値は時刻Ｔ２での雲９の位置と雲９の量を表し、行列の右下の要素５１の値は時刻Ｔ２での雲９の量の変化率を表している。なお、変化率が正の場合は、雲９の量が増加という意味であり、変化率が負の場合は、雲９の量が低下という意味である。また、矢印５２は雲９の移動方向を表し、雲９の移動速度は矢印の下に記載する。
【００２１】
次に、ステップＳ３３において、時刻Ｔ２で推計した雲９に関する情報を出力する。
【００２２】
図６は、雲予測処理部１１で実行される処理を示すフローチャートである。また、図７は、予測した雲９の位置と雲９の量を示す行列である。
【００２３】
次に、雲予測処理部１１で実行される雲予測処理ルーチンについて図６に基づき説明する。なお、図１と図７を参照して説明する。
【００２４】
まず、ステップＳ６０において、雲推計処理部１０からの時刻Ｔ２において推計した雲９に関する情報を読み込む。
【００２５】
次に、ステップＳ６１において、データベース８から太陽光パネル３の設置位置データを読み込む。
【００２６】
次に、ステップＳ６２において、時刻Ｔ２において推計した雲９に関する情報と太陽光パネル３の設置位置のデータに基づき、時刻Ｔ３における雲９の位置と雲９の量を予測する。時刻Ｔ３において予測した雲９の位置と雲９の量は図７に示すように行列で表す。雲９の位置４０は太陽光パネル３の設置位置を基準として表す。太陽光パネル群４は正方形の形で９つの太陽光パネル３からなるため、雲９の位置４０は３次正方行列で表す。また、雲９の量４１は０から１００までのパーセントの数値で表す。数値が多いほど雲９の量４１が多いという意味を表し、数値が０の場合は雲９がない状態という意味である。
【００２７】
次に、ステップＳ６３において、時刻Ｔ３で予測した雲９に関する情報を出力する。時刻Ｔ３は、時刻Ｔ２以降の任意の時点とする。
【００２８】
図８は、電力予測処理部１２で実行される処理を示すフローチャートであり、次に、電力予測処理部１２で実行される電力予測処理ルーチンについて図８に基づき説明する。なお、図１を参照して説明する。
【００２９】
まず、ステップＳ８０において、雲予測処理部１１から時刻Ｔ３で予測した雲９に関する情報を読み込む。
【００３０】
次に、ステップＳ８１において、データベース８から太陽光パネル３の基準発電電力を読み込む。
【００３１】
次に、ステップＳ８２において、予測した雲９に関する情報と基準発電電力、および太陽光パネル３の設置位置のデータに基づいて時刻Ｔ３での発電電力を予測して出力する。
【００３２】
以上のように、実施の形態１係る太陽光発電システム１００によれば、複数の地点に設置された太陽光パネル３の発電電力に基づいて未来の雲９の状況を予測し、それに基づいて太陽光パネル３の発電電力を予測することができる。このため、雲の状況だけではなく、太陽光発電における発電電力の変動の他要因をも含めて予測ができ、正確に太陽光発電の発電電力を予測することができる。従って、例えば、電力系統の周波数制御と需給計画がよりやりやすくなり、その結果、電力系統の周波数や信頼性を維持できる効果を得ることになる。また、カメラあるいは衛星写真などを利用しないため、より安く太陽光発電の発電電力を予測することができる利点もある。
【００３３】
実施の形態２．
次に、この発明の実施の形態２に係る太陽光発電システムについて説明する。図９は、実施の形態２に係る太陽光発電システムの構成図である。実施の形態２に係る太陽光発電システム９００は、第１太陽光発電システム２００と第２太陽光発電システム３００とから構成されており、第１太陽光発電システム２００と第２太陽光発電システム３００は、異なる地点に設置されている。
【００３４】
第１太陽光発電システム２００は、太陽１から太陽光２を受光して発電する９つの太陽光パネル３ａからなる太陽光パネル群４ａ、太陽光パネル３ａの発電電力を測定する発電電力測定装置５ａ、全体的に処理を行う管理システム６ａ、発電電力測定装置５ａの測定発電電力を管理システム６ａに送信する通信システム７ａ、および太陽光パネル３ａの基準発電電力のデータと太陽光パネル３ａの設置位置のデータが保存されているデータベース８ａを備える。
【００３５】
また、第２太陽光発電システム３００は、太陽１から太陽光２を受光して発電する９つの太陽光パネル３ｂからなる太陽光パネル群４ｂ、太陽光パネル３ｂの発電電力を測定する発電電力測定装置５ｂ、全体的に処理を行う管理システム６ｂ、発電電力測定装置５ｂの測定発電電力を管理システム６ｂに送信する通信システム７ｂ、および太陽光パネル３ｂの基準発電電力のデータと太陽光パネル３ｂの設置位置のデータが保存されているデータベース８ｂを備える。なお、第１太陽光発電システム２００の管理システム６ａと第２太陽光発電システム３００の管理システム６ｂは、通信ライン９０などによって相互間の情報伝達が可能に構成されている。
【００３６】
更に、太陽光発電システム９００は、発電電力測定装置５ａの測定発電電力と基準発電電力、および太陽光パネル３ａの設置位置のデータに基づいて雲９ａに関する情報を推計すると共に、発電電力測定装置５ｂの測定発電電力と基準発電電力、および太陽光パネル３ｂの設置位置のデータに基づいて雲９ｂに関する情報を推計する雲推計処理部９１、雲推計処理部９１により推計した雲９ａに関する情報と太陽光パネル３ａの設置位置のデータに基づいて雲９ａに関する情報を予測すると共に、雲推計処理部９１により推計した雲９ｂに関する情報と太陽光パネル３ｂの設置位置のデータに基づいて雲９ｂに関する情報を予測する雲予測処理部９２、および雲予測処理部９２の処理結果と太陽光パネル３ｂの設置位置のデータに基づいて太陽光パネル３ｂの未来の時点での発電電力を予測する発電電力予測処理部９３を備える。そして、管理システム６ａ、６ｂ、雲推計処理部９１、雲予測処理部９２、発電電力予測処理部９３、およびデータベース８ａ、８ｂは、ＣＰＵ、ＲＯＭ、ＲＡＭ、インターフェース回路を備えるコンピュータから構成される。なお、図９において、符号１３ａは雲９ａの影を示し、符号１３ｂは雲９ｂの影を示している。
【００３７】
実施の形態２に係る太陽光発電システム９００は上記のように構成されており、次に、その動作について説明する。
太陽光発電システム９００は、過去の時刻Ｔ１と現在の時刻Ｔ２における太陽光パネル３ｂが設置された地点の推計した雲９ｂに関する情報と、太陽光パネル３ａが設置された地点の推計した雲９ａに関する情報に基づいて未来の時刻Ｔ３における太陽光パネル３ｂが設置された地点の雲９ｂに関する情報を予測し、太陽光パネル３ｂの発電電力を予測するもので、以下、具体的に説明する。
【００３８】
図９に示すように、時刻Ｔ１からＴ２の間に太陽光パネル３ａが設置された地点の雲９ａが移動することによって雲９ａの影１３ａも同様に移動する。また、太陽光パネル３ｂが設置された地点の雲９ｂが移動することによって雲９ｂの影１３ｂも同様に移動する。図１０は、太陽光パネル３ａと太陽光パネル３ｂの設置位置を基準にした雲９ａ、９ｂの影１３ａ、１３ｂの移動を示す図で、雲９ａ、９ｂの影１３ａ、１３ｂは矢印１４ａ、１４ｂで示す方向に移動する。
【００３９】
図１１は、第１太陽光発電システム２００の太陽光発電パネル３ａが設置された地点の雲の位置と雲の量を示す行列である。雲９ａの位置４０ａと雲９ａの量４１ａは、太陽光パネル３ａの測定発電電力と基準発電電力、および太陽光パネル３ａの設置位置のデータに基づいて推計される。
【００４０】
図１２は、第１太陽光発電システム２００の太陽光発電パネル３ａが設置された地点の推計した雲９ａに関する情報を示す行列である。行列の左上の要素５０ａの値は時刻Ｔ２での雲９ａの位置と雲９ａの量を表し、行列の右下の要素５１ａの値は時刻Ｔ２での雲９ａの量の変化率を表している。なお、変化率が正の場合は、雲９ａの量が増加という意味であり、変化率が負の場合は、雲９ａの量が低下という意味である。また、矢印５２ａは雲９ａの移動方向を表し、雲９ａの移動速度は矢印の下に記載する。なお、雲９ａに関する情報は、時刻Ｔ１とＴ２における雲９ａの位置４０ａと雲９ａの量４１ａ、および太陽光パネル３ａの設置位置のデータに基づいた時刻Ｔ２における情報である。
【００４１】
図１３は、第２太陽光発電システム３００の太陽光発電パネル３ｂが設置された地点の雲の位置と雲の量を示す行列である。雲９ｂの位置４０ｂと雲９ｂの量４１ｂは、太陽光パネル３ｂの測定発電電力と基準発電電力、および太陽光パネル３ｂの設置位置のデータに基づいて推計される。
【００４２】
図１４は、第２太陽光発電システム３００の太陽光発電パネル３ｂが設置された地点の推計した雲９ｂに関する情報を示す行列である。行列の左上の要素５０ｂの値は時刻Ｔ２における雲９ｂの位置と雲９ａの量を表し、行列の右下の要素５１ｂの値は時刻Ｔ２におけるの雲９ｂの量の変化率を表している。なお、変化率が正の場合は、雲９ｂの量が増加という意味であり、変化率が負の場合は、雲９ｂの量が低下という意味である。また、矢印５２ｂは雲９ｂの移動方向を表し、雲９ｂの移動速度は矢印の下に記載する。なお、雲９ｂに関する情報は、時刻Ｔ１とＴ２における雲９ｂの位置４０ｂと雲９ｂの量４１ｂ、および太陽光パネル３ｂの設置位置のデータに基づいた時刻Ｔ２における情報である。
【００４３】
図１５は、雲予測処理部９２で実行される処理を示すフローチャートである。また、図１６は、第２太陽光発電システム３００の太陽光発電パネル３ｂが設置された地点での予測した雲９ｂの位置４０ｂと雲９ｂの量４１ｂを示す行列である。雲予測処理部９２で実行される雲予測処理ルーチンについて図１５に基づき説明する。なお、図９と図１６を参照して説明する。
【００４４】
まず、ステップＳ１５０において、第２太陽光発電システム９００により推計した雲推計処理部９１からの時刻Ｔ２の雲９ｂに関する情報を読み込む。
【００４５】
次に、ステップＳ１５１において、第１太陽光発電システム２００により推計した雲推計処理部９１からの時刻Ｔ２の雲９ａに関する情報を読み込む。
【００４６】
次に、ステップＳ１５２において、データベース６ａとデータベース６ｂから太陽光パネル３ａと太陽光パネル３ｂの設置位置のデータを読み込む。
【００４７】
次に、ステップＳ１５３において、時刻Ｔ２で推計した雲９ａと雲９ｂに関する情報、および太陽光パネル３ａと太陽光パネル３ｂの設置位置のデータに基づいて時刻Ｔ３における雲９ａと雲９ｂの位置４０ａ、４０ｂ、および雲９ａと雲９ｂの量４１ａ、４１ｂを予測する。時刻Ｔ３で予測した雲９ａと雲９ｂの位置４０ａ、４０ｂ、および雲９ａと雲９ｂの量４１ａ、４１ｂを合わせた結果は図１６に示すように行列で表す。
【００４８】
次に、ステップＳ１５４において、時刻Ｔ３で予測した雲９ａ、９ｂに関する情報を出力する。
【００４９】
その後、実施の形態１における説明と同様に、電力予測処理部９３は、太陽光パネル３ｂが設置された地点の予測した雲９ａ、９ｂに関する情報と基準発電電力、および太陽光パネル３ｂの設置位置のデータに基づいて時刻Ｔ３での発電電力を予測して出力する。
【００５０】
以上のように、実施の形態２に係る太陽光発電システム９００によれば、異なる地点に設置された第１太陽光発電システム２００の太陽光パネル３ａと情報交換することによって未来の雲の状況を予測し、それに基づいて第２太陽光発電システム３００の太陽光パネル３ｂの発電電力を予測することができる。このため、実施の形態１と同様の効果を奏すると共に、広範囲における太陽光発電の発電電力を予測することが可能となる。
【符号の説明】
【００５１】
１  太陽
２  太陽光
３、３ａ、３ｂ  太陽光パネル
４、４ａ、４ｂ  太陽光パネル群
５、５ａ、５ｂ  発電電力測定装置
６、６ａ、６ｂ  管理システム
７、７ａ、７ｂ  通信システム
８、８ａ、８ｂ  データベース
９、９ａ  雲
１０、９１  雲推計処理部
１１、９２  雲予測処理部
１２、９３  発電電力予測処理部
１３、１３ａ、１３ｂ  雲の影
１４、１４ａ、１４ｂ  雲の影の移動方向
４０、４０ａ、４０ｂ  雲の位置
４１、４１ａ、４１ｂ  雲の量
５０、５０ａ、５０ｂ  雲の位置と雲の量
５１、５１ａ、５１ｂ  雲の量の変化率
５２、５２ａ、５２ｂ  雲の移動方向
９０  通信ライン
１００、９００  太陽光発電システム
２００  第１太陽光発電システム
３００  第２太陽光発電システム
【図１】
2010186840.tif 000003
【図２】
2010186840.tif 000004
【図３】
2010186840.tif 000005
【図４】
2010186840.tif 000006
【図５】
2010186840.tif 000007
【図６】
2010186840.tif 000008
【図７】
2010186840.tif 000009
【図８】
2010186840.tif 000010
【図９】
2010186840.tif 000011
【図１０】
2010186840.tif 000012
【図１１】
2010186840.tif 000013
【図１２】
2010186840.tif 000014
【図１３】
2010186840.tif 000015
【図１４】
2010186840.tif 000016
【図１５】
2010186840.tif 000017
【図１６】
2010186840.tif 000018